(57)【要約】【課題】光ディスク２と対物レンズ９との作動距離（ワーキングディスタンス）の小さい高密度情報記録／再生装置１において、小型かつ簡単な構成で、ローディング時の光ディスク２と対物レンズ９との衝突を確実に回避する。【解決手段】ターンテーブル６の外径Ｄ２よりも外周側に、かつカートリッジ３に形成されたターンテーブル挿入用開口部８の内径Ｄ１よりも内周側に、ローディング時に上昇し、記録／再生時に下降する支持部材２１（筒部２４）を設ける。したがって、光ディスク２の回転駆動を阻害することなく、対物レンズ９との衝突を回避することができる。また、光学ピックアップ７やその周辺で衝突防止の対策を施す場合のように光学ピックアップ７への制約はなく、小型化することができるとともに、前記作動距離が非常に小さい高密度情報記録／再生装置に好適である。さらに、支持部材２１自体もコンパクトに形成し、配置することができる。【選択図】　図１
2004005803.tif 000002
【特許請求の範囲】
【請求項１】
カートリッジに収納されたディスク状記録媒体を装填し、記録または再生の少なくとも一方を行う装置において、
前記記録媒体を載置し、回転駆動させるスピンドルモータのターンテーブル外径よりも外周側に、かつカートリッジに形成されたターンテーブル挿入用開口部より内周側に、前記記録媒体のローディング時またはアンローディング時の少なくとも一方に作用して、該記録媒体を保持する支持部材を備えることを特徴とするディスク状記録媒体の記録／再生装置。
【請求項２】
前記支持部材は、
前記ターンテーブルの外径よりも大きい内径で、かつ前記ターンテーブル挿入用開口部よりも小さい外径に形成される円筒状の記録媒体支持部と、
前記記録媒体のローディング時またはアンローディング時の少なくとも一方には、前記筒状の記録媒体支持部の先端をターンテーブル面よりも突出させ、ローディング完了時には、前記先端をターンテーブル面よりも後退させる変位手段とを含むことを特徴とする請求項１記載のディスク状記録媒体の記録／再生装置。
【請求項３】
前記支持部材は、
前記ターンテーブルの外径よりも大きい内径で、かつ前記ターンテーブル挿入用開口部よりも小さい外径を有する筒状に形成され、ピックアップ方向に開口部を有する軸直角断面がＣ字状の記録媒体支持部と、
前記記録媒体のローディング時またはアンローディング時の少なくとも一方には、前記Ｃ字状の記録媒体支持部の先端をターンテーブル面よりも突出させ、ローディング完了時には、前記先端をターンテーブル面よりも後退させる変位手段とを含むことを特徴とする請求項１記載のディスク状記録媒体の記録／再生装置。
【請求項４】
前記変位手段は、前記カートリッジを保持したホルダのターンテーブルに対する近接／離反変位に連動する機構であることを特徴とする請求項２または３記載のディスク状記録媒体の記録／再生装置。
【請求項５】
前記記録媒体支持部は、スピンドルモータを支持する部材に備えられている案内部材によって、該スピンドルモータの軸線方向に変位自在に支持されていることを特徴とする請求項４記載のディスク状記録媒体の記録／再生装置。
【請求項６】
前記変位手段は、前記カートリッジがホルダに保持され、記録媒体の回転中心とターンテーブルの回転中心とが一致した状態で前記記録媒体支持部の下降動作を開始して前記カートリッジと記録媒体との位置関係を概ね保持したまま下降し、前記記録媒体支持部の先端が前記ターンテーブルの記録媒体支持面より下方位置にて停止することを特徴とする請求項４記載のディスク状記録媒体の記録／再生装置。
【請求項７】
前記カートリッジのローディングが完了した後に、前記記録媒体支持部の下降動作を開始することを特徴とする請求項６記載のディスク状記録媒体の記録／再生装置。
【発明の詳細な説明】
【０００１】
【発明の属する技術分野】
本発明は、カートリッジに収納された光ディスクなどのディスク状記録媒体をターンテーブルに載置し、情報の記録、再生、消去の少なくとも１つを行うディスク状記録媒体の記録／再生装置に関し、特にそのローディングのための構成に関する。
【０００２】
【従来の技術】
ＣＤ（Ｃｏｍｐａｃｔ　Ｄｉｓｋ）やＤＶＤ（Ｄｉｇｉｔａｌ　Ｖｉｄｅｏ　Ｄｉｓｋ）等の前記光ディスクは、音楽情報、映像情報、コンピュータ情報等のデジタル情報の保存に広く使用されている。更なる情報化社会の到来とともに、これらの記録媒体の高密度化および大容量化が強く求められている。
【０００３】
一方、光ディスクにおいて、単位面積当りの記録容量（記録密度）の向上は、光学ピックアップから得られるビームスポット径を小さくすることで実現することができる。前記ビームスポット径の最小径は、光の回折のために、一般にλ／ＮＡ（λは使用する光源の波長、ＮＡは光学系の開口数）に比例する。したがって、前記記録容量の向上のためには、使用する光源の波長を短くするか、または光学ピックアップの光学系開口数を大きくすればよいことが知られている。
【０００４】
前者の場合、光源、すなわち半導体レーザの短波長化は、青色系の半導体レーザーとして実用化に向けて開発が進んでいる。
【０００５】
後者の場合は、たとえば特開平１０−１２３４１０号公報で、２枚組の対物レンズ構成を使用することが提案されている。この２枚組の対物レンズを使用することで、その開口数は０．８以上に設定され、光ディスクの高密度化が可能になる。しかしながら、この２枚組対物レンズは、各レンズ共に作製時に高い成形精度が求められ、また作製可能な形状の規制等から、光ディスク表面と対物レンズとの作動距離（ワーキングディスタンス）は、０．１ｍｍ以下と非常に小さくなる。
【０００６】
一方で、前記２枚組対物レンズに対応する光ディスクは、小さく絞られた微小光スポットによって記録／再生を行うので、光ディスク表面に付着した埃や手に持った時に付着した指紋等で、その記録／再生特性に影響が生じることがある。このため、ＭＯ（Ｍａｇｎｅｔｏ　Ｏｐｔｉｃａｌ　Ｄｉｓｋ）等の高密度の光ディスクは、一般にカートリッジに納められた形態で規格されている。そして、光ディスクは、スピンドルモータのターンテーブルにチャッキングされるとともに、カートリッジの中で回転駆動されるので、該カートリッジの内壁に接触しないように、該内壁と光ディスクとのクリアランスが必要になる。
【０００７】
したがって、カートリッジの中で光ディスクは、前記クリアランスの範囲で移動自由に収納されており、カートリッジを水平にして記録／再生装置へ挿入（以下、ローディングと称する）または排出（以下、アンローディングと称する）する場合、光ディスクはカートリッジ内壁の底面方向に移動して、該底面上に載置されている状態にある。
【０００８】
一方、光ディスクに記録／再生するための光ビームを集光する対物レンズは、レンズホルダに保持されるとともに、弾性支持部材等によって、フォーカシングおよびトラッキング方向に移動可能に支持されており、可動部が電力付勢されていない前記ローディング／アンローディング時には、これらの対物レンズおよびレンズホルダを含む可動部の自重によって、重力方向に移動している。
【０００９】
以上の構成において、カートリッジが記録／再生装置のホルダ内に引込まれて保持され、ターンテーブル方向に下降すると、カートリッジ内部の形状の成形精度によって光ディスクの傾きが発生し、該光ディスクの中央部がターンテーブルに当接して前記チャッキングされる前に、該光ディスクの外周側の部分が対物レンズと衝突し、対物レンズや光ディスクを破損する恐れがある。
【００１０】
そこで、前記対物レンズと光ディスクとの衝突を回避するために、特開２００１−３１９３５５号公報に記載の対物レンズ駆動装置が提案されている。この先行技術では、光ディスクおよび対物レンズの破損を回避するために、シリコン樹脂材料で形成されたストッパ部材の上面が対物レンズの頂点より高くなるようにレンズホルダに備えられている。
【００１１】
【発明が解決しようとする課題】
しかしながら、光ディスクと対物レンズとの作動距離（ワーキングディスタンス）が約０．１ｍｍと小さい高密度情報記録／再生装置において、前記ストッパ部材を、衝突時の衝撃緩和のために前記シリコン樹脂材料等の材料で形成する必要があるけれども、樹脂材料で形成するストッパ部材の上面を、前記対物レンズの頂点より高くなるように安定して寸法精度を確保することは難しい。
【００１２】
本発明の目的は、特にディスク状記録媒体と対物レンズとの作動距離（ワーキングディスタンス）の小さい高密度情報記録／再生装置において、小型かつ簡単な構成でローディング時のピックアップと記録媒体との衝突を確実に回避することができるディスク状記録媒体の記録／再生装置を提供することである。
【００１３】
【課題を解決するための手段】
本発明のディスク状記録媒体の記録／再生装置は、カートリッジに収納されたディスク状記録媒体を装填し、記録または再生の少なくとも一方を行う装置において、前記記録媒体を載置し、回転駆動させるスピンドルモータのターンテーブル外径よりも外周側に、かつカートリッジに形成されたターンテーブル挿入用開口部より内周側に、前記記録媒体のローディング時またはアンローディング時の少なくとも一方に作用して、該記録媒体を保持する支持部材を備えることを特徴とする。
【００１４】
上記の構成によれば、カートリッジに収納された光ディスクなどのディスク状記録媒体をターンテーブルに載置するローディング時または前記記録媒体をターンテーブルから離脱させるアンローディング時の少なくとも一方に作用して、支持部材が前記記録媒体を保持する。
【００１５】
したがって、前記支持部材は前記ローディング／アンローディング時に作用するので、記録／再生にあたって、前記ターンテーブルによる記録媒体の回転駆動を阻害することなく、記録媒体とピックアップとの衝突を回避し、ピックアップの損傷を確実に防止することができる。
【００１６】
また、前記支持部材は、スピンドルモータのターンテーブル外径よりも外周側から、かつカートリッジに形成されたターンテーブル挿入用開口部より内周側から前記記録媒体を保持する。すなわち、前記支持部材は、記録媒体のローディング時に前記ターンテーブルとターンテーブル挿入用開口部との間の隙間から侵入して、記録媒体がターンテーブルに載置される前に該記録媒体を保持するので、ピックアップやその周辺で衝突防止の対策を施す場合のようにピックアップへの制約はなく、該ピックアップを小型化することができるとともに、記録媒体である光ディスクとピックアップである対物レンズとの作動距離が非常に小さい高密度情報記録／再生装置に好適である。さらにまた、支持部材自体も、コンパクトに形成し、配置することができる。
【００１７】
また、本発明のディスク状記録媒体の記録／再生装置では、前記支持部材は、前記ターンテーブルの外径よりも大きい内径で、かつ前記ターンテーブル挿入用開口部よりも小さい外径に形成される円筒状の記録媒体支持部と、前記記録媒体のローディング時またはアンローディング時の少なくとも一方には、前記筒状の記録媒体支持部の先端をターンテーブル面よりも突出させ、ローディング完了時には、前記先端をターンテーブル面よりも後退させる変位手段とを含むことを特徴とする。
【００１８】
上記の構成によれば、該記録／再生装置が、前記記録媒体を、たとえば水平状態で記録／再生する場合、筒状の記録媒体支持部の先端は、変位手段によって、前記ローディング／アンローディング時にはターンテーブル面よりも上昇されており、ローディング完了後には降下されている。
【００１９】
したがって、記録／再生にあたって、前記ターンテーブルによる記録媒体の回転駆動を阻害することなく、記録媒体とピックアップとの衝突を回避し、ピックアップの損傷を確実に防止することができる支持部材を具体的に実現することができる。また、支持部材をコンパクトかつ高剛性に形成することができるとともに、記録媒体をバランス良く支持することができる。
【００２０】
さらにまた、本発明のディスク状記録媒体の記録／再生装置では、前記支持部材は、前記ターンテーブルの外径よりも大きい内径で、かつ前記ターンテーブル挿入用開口部よりも小さい外径を有する筒状に形成され、ピックアップ方向に開口部を有する軸直角断面がＣ字状の記録媒体支持部と、前記記録媒体のローディング時またはアンローディング時の少なくとも一方には、前記Ｃ字状の記録媒体支持部の先端をターンテーブル面よりも突出させ、ローディング完了時には、前記先端をターンテーブル面よりも後退させる変位手段とを含むことを特徴とする。
【００２１】
上記の構成によれば、該記録／再生装置が、前記記録媒体を、たとえば水平状態で記録／再生する場合、記録媒体支持部の先端は、変位手段によって、前記ローディング／アンローディング時にはターンテーブル面よりも上昇されており、ローディング完了後には降下されている。
【００２２】
したがって、記録／再生にあたって、前記ターンテーブルによる記録媒体の回転駆動を阻害することなく、記録媒体とピックアップとの衝突を回避し、ピックアップの損傷を確実に防止することができる支持部材を具体的に実現することができる。また、ピックアップの配設される方向に記録媒体支持部が形成されない、すなわち円筒の軸線方向に一部を開放した形状となっているので、ピックアップは記録媒体のより内周位置まで接近することが可能になる。または、スピンドルモータ近辺のスペースが有効に使えるようになり、対物レンズ支持機構および光ピックアップハウジングの設計の自由度を大きくすることができる。
【００２３】
また、本発明のディスク状記録媒体の記録／再生装置では、前記変位手段は、前記カートリッジを保持したホルダのターンテーブルに対する近接／離反変位に連動する機構であることを特徴とする。
【００２４】
上記の構成によれば、変位手段がホルダに機械的に連動して、記録媒体支持部を変位駆動するので、専用の駆動源および駆動機構を備える必要はなく、カートリッジのローディング／アンローディング時に、確実にピックアップと記録媒体との衝突を回避することができる。また、前記変位手段の機構はコンパクトに設計できるので、該記録／再生装置の小型化が可能になるとともに、スピンドルモータとピックアップガイド機構とは、共に本体シャーシに対して固定されるので、高い機械精度を確保することができる。
【００２５】
さらにまた、本発明のディスク状記録媒体の記録／再生装置では、前記記録媒体支持部は、スピンドルモータを支持する部材に備えられている案内部材によって、該スピンドルモータの軸線方向に変位自在に支持されていることを特徴とする。
【００２６】
上記の構成によれば、記録媒体支持部は、スピンドルモータを支持する部材に備えられた案内部材によって移動が規制され、ターンテーブルと支持部材とは、共にモータベース上に構成される。
【００２７】
したがって、それぞれの同軸度は精度が良く、前述のようにターンテーブルとターンテーブル挿入用開口部との間の隙間から侵入する記録媒体支持部とターンテーブルとのクリアランスを小さく設定することができる。
【００２８】
また、本発明のディスク状記録媒体の記録／再生装置では、前記変位手段は、前記カートリッジがホルダに保持され、記録媒体の回転中心とターンテーブルの回転中心とが一致した状態で前記記録媒体支持部の下降動作を開始して前記カートリッジと記録媒体との位置関係を概ね保持したまま下降し、前記記録媒体支持部の先端が前記ターンテーブルの記録媒体支持面より下方位置にて停止することを特徴とする。
【００２９】
上記の構成によれば、前述のようにホルダに機械的に連動した変位手段を具体的に実現することができる。
【００３０】
さらにまた、本発明のディスク状記録媒体の記録／再生装置では、前記カートリッジのローディングが完了した後に、前記記録媒体支持部の下降動作を開始することを特徴とする。
【００３１】
上記の構成によれば、カートリッジのローディング動作完了後に、記録媒体のターンテーブルへのローディング動作を行うことで、シーケンスが簡単で設計が容易になる。
【００３２】
【発明の実施の形態】
本発明の実施の一形態について、図１〜図１１に基づいて説明すれば、以下のとおりである。
【００３３】
図１は本発明の実施の一形態のディスク状記録媒体の記録／再生装置１における光ディスク２付近の平面図であり、図２は図１の切断面線ＩＩ−ＩＩから見た断面図である。前記光ディスク２は、たとえば前記ＣＤやＤＶＤなどのように直径１２０ｍｍのディスクであり、高密度記録のためにカートリッジ３内に収納されている。そして、この記録／再生装置１は、大略的に、前記カートリッジ３を装置本体の前面側から取込み、図示しないホルダ内に収納保持した状態で、シャーシ４に固定されたスピンドルモータ５のターンテーブル６上に降下させることで前記光ディスク２を前記ターンテーブル６にチャッキングさせ、光学ピックアップ７による記録、再生、消去等の動作を可能にするものである。
【００３４】
前記カートリッジ３の下面には、ローディング完了状態で前記ターンテーブル６が遊挿するターンテーブル挿入用開口部８および前記ローディング完了状態で前記光学ピックアップ７の対物レンズ９が遊挿するピックアップ挿入用開口部１０が連通して形成されている。前記開口部８，１０は、カートリッジ３が記録／再生装置１から取出された状態では、図示しないシャッタによって閉塞されており、前記取込み時などのローディング動作に連動して、図示しない開放機構によって開放される。
【００３５】
前記光学ピックアップ７は、光ディスク２への記録／再生を行うにあたり、レーザ光を集光する前記対物レンズ９と、該対物レンズ９を保持し、フォーカシング方向およびトラッキング方向に前記集光された光ビームを補正駆動する対物レンズ駆動装置１１と、光ディスク２からの反射光に基づく情報の記録再生を行う図示しない光学ブロックとを備えて構成されている。この光学ピックアップ７は、移動片１２に取付けられており、前記移動片１２の両端に設けられたブラケットがシャーシ４と平行に配設された一対の案内片１３，１４上を走行することで、該光学ピックアップ７が光ディスク２の半径方向に移動して、情報の記録／再生が可能となる。
【００３６】
そして、ターンテーブル挿入用開口部８の内径Ｄ１はターンテーブル６の外径Ｄ２よりも大きく形成されており、注目すべきは、本発明では、光ディスク２のローディング時およびアンローディング時には、それらの隙間から、該光ディスク２を保持する支持部材２１のディスク支持部２２が侵入し、光ディスク２の傾きを阻止することである。すなわち、図示しない昇降機構によって水平状態で下降／上昇されるカートリッジ３内で、光ディスク２を水平に保持することである。これによって、たとえば前述のようにローディングが完了した段階で、光ディスク２を載置していたカートリッジ３の底板３ａの上面が、ターンテーブル６の上面よりも沈み込んでも、光ディスク２と対物レンズ９との衝突を回避し、該対物レンズ９の損傷を確実に防止することができる。
【００３７】
なお、このような支持部材２１による光ディスク２の保持は、光ディスク２をターンテーブル６に落し込むローディング時に行うことが効果的であるけれども、既にターンテーブル６上にある光ディスク２を取外すアンローディング時にも行うことが望ましく、本発明は、ローディング時とアンローディング時との少なくとも一方に行われればよい。また、図２で示すように、光ディスク２が水平状態で記録／再生が行われるように説明しているけれども、この記録／再生装置１は、光ディスク２が鉛直状態で記録／再生が行われる縦置きの装置であってもよい。
【００３８】
前記支持部材２１は、大略的に、光ディスク２を保持する前記ディスク支持部２２と、そのディスク支持部２２を昇降変位させる昇降部材２３とを備えて構成される。図３〜図５は、前記ディスク支持部２２の、それぞれ平面図、正面図および側面図である。記録媒体支持部である前記ディスク支持部２２は、大略的に、薄肉の円筒状に形成され、その上端面で前記光ディスク２の下面を保持する筒部２４と、前記筒部２４の下端に連なり、小判形に形成されるフランジ部２５と、前記フランジ部２５の外周部から垂下して形成される垂下部２６とを備えて構成される。
【００３９】
前記筒部２４は、その外径Ｄ３が前記ターンテーブル挿入用開口部８の内径Ｄ１よりも小さく、かつ内径Ｄ４が前記ターンテーブル６の外径Ｄ２よりも大きく形成されており、円筒状の前記スピンドルモータ５のハウジングに外挿され、該スピンドルモータ５の軸線方向に変位自在、したがって保持した光ディスク２を昇降変位自在となっている。
【００４０】
前記フランジ部２５は、光学ピックアップ７に対向する部分が狭幅（図３，４では筒部２４の外径Ｄ３と同じ幅）に形成されて前述のように小判形となっており、一対の幅広の部分には、前記スピンドルモータ５が取付けられているシャーシ４のモータベース４ａに、前記スピンドルモータ５と平行に立設された一対の案内軸２７が挿通する案内孔２８が形成されている。これによって、該ディスク支持部２２が、前記スピンドルモータ５のハウジングに支持されてスピンドルモータ５の軸線方向に昇降変位する際に、スピンドルモータ５の周方向への回転を阻止することができる。なお、このような回転の阻止は、前記筒部２４の内周面と、前記スピンドルモータ５のハウジングの外周面との、何れか一方に前記スピンドルモータ５の軸線方向に延びる溝を形成し、何れか他方に前記溝に嵌り込む突起または突条を形成することなどでも実現することができる。
【００４１】
前記垂下部２６において、前記一対の幅広の部分には、外方に延びる突起２９がそれぞれ形成されている。
【００４２】
一方、図６および図７は、前記昇降部材２３の、それぞれ平面図および正面図である。変位手段である昇降部材２３は、大略的に、前記スピンドルモータ５を外囲し、該昇降部材２３を光学ピックアップ７の変位方向と平行に変位可能とするためのＵ字状の切欠き３１を有する板状部３２と、前記小判形の一対の幅広の部分に対応しており、前記Ｕ字の両側部から立上がり形成される一対の立上がり部３３とを備えて構成される。
【００４３】
前記板状部３２は、その下面に、前記シャーシ４に固定されたモータベース４ａ上を変位可能にする突起３４を備えるとともに、前記Ｕ字状の切欠き３１の一対の両側部から立上がり部３３の間に、前記光学ピックアップ７の変位方向と平行な長孔３５を有する。前記長孔３５には、前記案内軸２７が遊挿し、該案内軸２７の基端には、抜け止めのために、Ｅリング等が設けられ、これによって板状部３２はモータベース４ａ上をがたつくことなく変位することができる。一方、前記一対の立上がり部３３には、前記垂下部２６の突起２９がそれぞれ嵌り込む「く」の字状の案内溝３６が形成されている。
【００４４】
前記ディスク支持部２２の垂下部２６に立設される突起２９は、たとえば一方が垂下部２６に固定された状態で、その一方の突起２９が前記昇降部材２３の立上がり部３３の案内溝３６に嵌め込れた後、他方の突起２９が前記案内溝３６内を挿通しつつ、ねじ込みなどで前記垂下部２６に固定され、または前記立上がり部３３の一方が前記板状部３２とは別体で構成され、一対の突起２９が共に垂下部２６に固定された状態で、一方の突起２９が板状部３２に固定されている側の立上がり部３３の案内溝３６に嵌め込れた後、他方の突起２９が前記別体の立上がり部３３の案内溝３６内を挿通するように、該別体の立上がり部３３が板状部３２に固定されることで、前記ディスク支持部２２と昇降部材２３とを、相互に組付けることができる。
【００４５】
図８〜図１１は、本発明の記録／再生装置１のローディング時の動作を説明するための断面図である。前述の図２も合わせて参照して、先ず、図２で示すように、カートリッジ３は、図示しない該記録／再生装置１の前面に設けられたカートリッジ挿入口から、水平に内部に引き込まれるとともに、この動作に連動してシャッタが開放し、前記ターンテーブル６および光学ピックアップ７の対物レンズ９が前記ターンテーブル挿入用開口部８およびピックアップ挿入用開口部１０とそれぞれ対向する。この時、支持部材２１のディスク支持部２２の筒部２４の先端は、ターンテーブル６の上面よりも上方に位置している。
【００４６】
次に、前記図示しない昇降機構によって、図８で示すように、前記カートリッジ３と光ディスク２との位置関係を概ね保持したまま、カートリッジ３が降下されてゆく。この降下動作に連動して、前記昇降機構に連結されている昇降部材２３が矢符３７方向に移動を開始するけれども、この図８で示すように、前記突起２９は前記案内溝３６の「く」の字状の水平部分を走行し、ディスク支持部２２は上昇したままとなっている。
【００４７】
前記図８で示すように光ディスク２の下面がディスク支持部２２の筒部２４の先端に当接し、さらにカートリッジ３が降下して光ディスク２の下面はカートリッジ３の底板３ａの上面から浮き上がり、図９で示すようにカートリッジ３内で光ディスク２の上方向の隙間と下方向の隙間とがほぼ同じになって記録／再生可能な状態になるまでは、前記突起２９は前記案内溝３６の「く」の字状の水平部分を走行し、ディスク支持部２２は上昇したままとなっている。
【００４８】
続いて、さらにカートリッジ３が降下すると、前記突起２９は前記案内溝３６の「く」の字状の中央部を通過して傾斜部分を走行し、前記カートリッジ３内で光ディスク２の上方向の隙間と下方向の隙間とがほぼ等しい状態を維持しながら前記ディスク支持部２２が降下してゆき、やがて図１０で示すように、カートリッジ３の底面が前記シャーシ４に立設された保持部材３８に保持される。この状態では、カートリッジ３の底板の上面はターンテーブル６の上面よりも沈み込んでおり、また光ディスク２の下面はターンテーブル６の上面に当接する。
【００４９】
その後、図１１で示すように前記突起２９が前記傾斜部分の端部に到達すると、ディスク支持部２２の筒部２４の先端がターンテーブル６の上面よりも下方に位置して該ディスク支持部２２が降下を停止するとともに、光ディスク２はターンテーブル６にチャッキングされてローディング動作を完了する。カートリッジ３の排出（アンローディング）動作は、上述の動作とは逆の動作によって行われる。
【００５０】
この記録／再生装置１では、カートリッジ３は該記録／再生装置１内に引込まれた後、図示しないホルダに保持され、そのホルダがシャーシ４に対して下降動作することでローディング動作を実現しているけれども、該記録／再生装置１内に引込まれたホルダに対してシャーシ４が上昇することでローディング動作を実現する構成においても、前記支持部材２１は同様に適用することができる。
【００５１】
以上のように、本発明の記録／再生装置１では、カートリッジ３に収納された光ディスク２をターンテーブル６に載置するローディング時または前記光ディスク２をターンテーブル６から離脱させるアンローディング時の少なくとも一方において、支持部材２１が光ディスク２を水平に保持するので、記録／再生にあたって、前記ターンテーブル６による光ディスク２の回転駆動を阻害することなく、カートリッジ３内で光ディスク２が不所望に傾くことによる光ディスク２と光学ピックアップ７の対物レンズ９との衝突を回避し、該対物レンズ９の損傷を確実に防止することができる。
【００５２】
また、前記支持部材２１のディスク支持部２２は、スピンドルモータ５のターンテーブル６とカートリッジ３に形成されたターンテーブル挿入用開口部８との間の隙間から侵入して光ディスク２を保持するので、光学ピックアップ７やその周辺で衝突防止の対策を施す場合のように該光学ピックアップ７への制約はなく、該光学ピックアップ７を小型化することができるとともに、光ディスク２と対物レンズ９との作動距離が非常に小さい高密度情報記録／再生装置に好適である。さらにまた、支持部材２１自体も、コンパクトに形成し、配置することができる。
【００５３】
また、ディスク支持部２２の筒部２４は円筒状に形成されるので、高剛性であり、かつ光ディスク２を均一に保持することができる。
【００５４】
さらにまた、前記支持部材２１の昇降部材２３は、図示しないカートリッジ３の昇降機構に連動する機構であるので、専用の駆動源および駆動機構を備える必要はなく、カートリッジ３のローディング／アンローディング時に、確実に光ディスク２と対物レンズ９との衝突を回避することができる。ここで、特開平３−５２１２３号公報に記載の対物レンズ駆動装置によれば、ローディング動作の開始から完了までの間に、対物レンズを保持した可動部を光ディスクから離れる方向に移動させることで、光ディスクと対物レンズとの接触を回避することが記載されている。しかしながら、この先行技術では、ローディング動作開始の信号を受けて電気的に可動部の退避動作を行う構成であるので、システムの不具合等によって動作しない可能性があるのに対して、本発明は前述のように機械的に連動する機構であるので、そのような問題はない。
【００５５】
さらにまた、前記昇降部材２３は、スピンドルモータ５のモータベース４ａ上を変位するコンパクトな構成であるので、該記録／再生装置１の小型化が可能になるとともに、スピンドルモータ５と案内片１３，１４とは、共に本体シャーシ４に対して固定されるので、高い機械精度を確保することができる。
【００５６】
また、前記ディスク支持部２２は、スピンドルモータ５のハウジングによって、該スピンドルモータ５の軸線方向に変位自在に支持されているので、モータベース４ａ上に構成されるこれらのディスク支持部２２とスピンドルモータ５との同軸度は精度が良く、前述のようにターンテーブル６とターンテーブル挿入用開口部８との間の隙間から侵入するディスク支持部２２とターンテーブル６とのクリアランスを小さく設定することができる。
【００５７】
本発明の実施の他の形態について、図１２〜図１５に基づいて説明すれば、以下のとおりである。
【００５８】
図１２は、本発明の実施の他の形態のディスク状記録媒体の記録／再生装置４１における光ディスク２付近の平面図である。この記録／再生装置４１は、前述の記録／再生装置１に類似し、対応する部分には同一の参照符号を付して示し、その説明を省略する。注目すべきは、この記録／再生装置４１では、支持部材５１がディスク支持部５２と、前述の昇降部材２３とを備えて構成されており、前記ディスク支持部５２の筒部５４が、薄肉の円筒状に形成され、かつ光学ピックアップ７方向に開口部を有する軸直角断面がＣ字状に形成されていることである。
【００５９】
図１３〜図１５は、前記ディスク支持部５２の、それぞれ平面図、正面図および側面図である。記録媒体支持部である前記ディスク支持部５２は、大略的に、上端面で前記光ディスク２の下面を保持する前記筒部５４と、前記筒部５４の下端に連なるフランジ部５５と、前記フランジ部５５の外周部から垂下して形成される垂下部５６とを備えて構成される。
【００６０】
前記筒部５４は、前記筒部２４と同様に、その外径Ｄ３が前記ターンテーブル挿入用開口部８の内径Ｄ１よりも小さく、かつ内径Ｄ４が前記ターンテーブル６の外径Ｄ２よりも大きく形成されており、円筒状の前記スピンドルモータ５のハウジングに外挿され、該スピンドルモータ５の軸線方向に変位自在、したがって保持した光ディスク２を昇降変位自在となっている。
【００６１】
前記フランジ部５５および垂下部５６は、前記筒部５４と同様に、光学ピックアップ７に対向する部分が切欠かかれている。こうして、円筒の軸線方向に一部を開放した形状とすることで、光学ピックアップ７は、前記ターンテーブル６の外径Ｄ２よりも外方で、光ディスク２のより内周位置まで接近することが可能になる。または、スピンドルモータ５近辺のスペースが有効に使えるようになり、対物レンズ９の支持機構および光学ピックアップ７のハウジングの設計の自由度を大きくすることができる。
【００６２】
本発明の実施のさらに他の形態について、図１６に基づいて説明すれば、以下のとおりである。
【００６３】
図１６は、本発明の実施の他の形態のディスク状記録媒体の記録／再生装置におけるローディング時の動作を説明するための断面図である。この記録／再生装置の構造は、前述の図１〜図７で示す記録／再生装置１に類似しており、対応する部分には同一の参照符号を付して、その説明を省略する。また、上述の図１２〜図１５で示す記録／再生装置４１の構造であってもよい。注目すべきは、この記録／再生装置では、図２および図８〜図１１で示したローディング動作の内、図９の動作のシーケンスが異なる、すなわち前述のホルダと昇降部材２３との連動タイミングが異なるだけである。
【００６４】
図２で示すように、カートリッジ３は、図示しない該記録／再生装置の前面に設けられたカートリッジ挿入口から、水平に内部に引き込まれるとともに、この動作に連動してシャッタが開放し、前記ターンテーブル６および光学ピックアップ７の対物レンズ９が前記ターンテーブル挿入用開口部８およびピックアップ挿入用開口部１０とそれぞれ対向する。この時、支持部材２１のディスク支持部２２の筒部２４の先端は、ターンテーブル６の上面よりも上方に位置している。
【００６５】
次に、前記図示しない昇降機構によって、図８で示すように、カートリッジ３が降下されてゆく。この降下動作に連動して、前記昇降機構に連結されている昇降部材２３が矢符３７方向に移動を開始するけれども、この図８で示すように、前記突起２９は前記案内溝３６の「く」の字状の水平部分を走行し、ディスク支持部２２は上昇したままとなっている。
【００６６】
そして、この記録／再生装置では、前記図８で示すように光ディスク２の下面がディスク支持部２２の筒部２４の先端に当接し、さらにカートリッジ３が降下して光ディスク２の下面はカートリッジ３の底板の上面から浮き上がり、図１６で示すように、カートリッジ３の底面が前記シャーシ４に立設された保持部材３８に保持されて該カートリッジ３のローディングが完了するまでは、ディスク支持部２２は上昇したままとなっている。前記カートリッジ３のローディング完了状態では、該カートリッジ３の底板の上面はターンテーブル６の上面よりも沈み込んでおり、光ディスク２の上面は、カートリッジ３の上板の下面に近接している。
【００６７】
さらに昇降部材２３が矢符３７方向に移動すると、前記突起２９は前記案内溝３６の「く」の字状の中央部を通過して傾斜部分を走行し、前記ディスク支持部２２が降下してゆく。やがて前記図１０で示すように、前記カートリッジ３内で光ディスク２の上方向の隙間と下方向の隙間とがほぼ等しい状態となる。この状態では、光ディスク２の下面はターンテーブル６の上面に当接する。
【００６８】
その後、前記図１１で示すように前記突起２９が前記傾斜部分の端部に到達すると、ディスク支持部２２の筒部２４の先端がターンテーブル６の上面よりも下方に位置して該ディスク支持部２２が降下を停止するとともに、光ディスク２はターンテーブル６にチャッキングされてローディング動作を完了する。カートリッジ３の排出（アンローディング）動作は、上述の動作とは逆の動作によって行われる。
【００６９】
このように構成することで、カートリッジ３の内部での光ディスク２とのクリアランスを有効に利用し、カートリッジ３のローディング完了後に、ディスク支持部２２の降下を開始して光ディスク２のローディング動作を行うことができ、シーケンスが簡単で、設計を容易に行うことができる。
【００７０】
【発明の効果】
本発明のディスク状記録媒体の記録／再生装置は、以上のように、カートリッジに収納された光ディスクなどのディスク状記録媒体をターンテーブルに載置するローディング時または前記記録媒体をターンテーブルから離脱させるアンローディング時の少なくとも一方に作用して、支持部材が、スピンドルモータのターンテーブル外径よりも外周側から、かつカートリッジに形成されたターンテーブル挿入用開口部より内周側から侵入して、前記記録媒体を保持する。
【００７１】
それゆえ、記録／再生にあたって、前記ターンテーブルによる記録媒体の回転駆動を阻害することなく、記録媒体とピックアップとの衝突を回避し、ピックアップの損傷を確実に防止することができる。また、ピックアップやその周辺で衝突防止の対策を施す場合のように前記ピックアップへの制約はなく、該ピックアップを小型化することができるとともに、記録媒体である光ディスクとピックアップである対物レンズとの作動距離が非常に小さい高密度情報記録／再生装置に好適である。さらにまた、支持部材自体も、コンパクトに形成し、配置することができる。
【００７２】
また、本発明のディスク状記録媒体の記録／再生装置は、以上のように、前記支持部材を、前記ターンテーブルの外径よりも大きい内径で、かつ前記ターンテーブル挿入用開口部よりも小さい外径に形成される円筒状の記録媒体支持部と、前記記録媒体のローディング時またはアンローディング時の少なくとも一方には、前記筒状の記録媒体支持部の先端をターンテーブル面よりも突出させ、ローディング完了時には、前記先端をターンテーブル面よりも後退させる変位手段とを含んで構成する。
【００７３】
それゆえ、記録／再生にあたって、前記ターンテーブルによる記録媒体の回転駆動を阻害することなく、記録媒体とピックアップとの衝突を回避し、ピックアップの損傷を確実に防止することができる支持部材を具体的に実現することができる。また、支持部材をコンパクトかつ高剛性に形成することができるとともに、記録媒体をバランス良く支持することができる。
【００７４】
さらにまた、本発明のディスク状記録媒体の記録／再生装置は、以上のように、前記支持部材を、前記ターンテーブルの外径よりも大きい内径で、かつ前記ターンテーブル挿入用開口部よりも小さい外径を有する筒状に形成され、ピックアップ方向に開口部を有する軸直角断面がＣ字状の記録媒体支持部と、前記記録媒体のローディング時またはアンローディング時の少なくとも一方には、前記Ｃ字状の記録媒体支持部の先端をターンテーブル面よりも突出させ、ローディング完了時には、前記先端をターンテーブル面よりも後退させる変位手段とを含んで構成する。
【００７５】
それゆえ、記録／再生にあたって、前記ターンテーブルによる記録媒体の回転駆動を阻害することなく、記録媒体とピックアップとの衝突を回避し、ピックアップの損傷を確実に防止することができる支持部材を具体的に実現することができる。また、ピックアップの配設される方向に記録媒体支持部が形成されない、すなわち円筒の軸線方向に一部を開放した形状となっているので、ピックアップは記録媒体のより内周位置まで接近することが可能になる。または、スピンドルモータ近辺のスペースが有効に使えるようになり、対物レンズ支持機構および光ピックアップハウジングの設計の自由度を大きくすることができる。
【００７６】
また、本発明のディスク状記録媒体の記録／再生装置は、以上のように、前記変位手段を、前記カートリッジを保持したホルダのターンテーブルに対する近接／離反変位に連動する機構とする。
【００７７】
それゆえ、専用の駆動源および駆動機構を備える必要はなく、カートリッジのローディング／アンローディング時に、確実にピックアップと記録媒体との衝突を回避することができる。また、前記変位手段の機構はコンパクトに設計できるので、該記録／再生装置の小型化が可能になるとともに、スピンドルモータとピックアップガイド機構とは、共に本体シャーシに対して固定されるので、高い機械精度を確保することができる。
【００７８】
さらにまた、本発明のディスク状記録媒体の記録／再生装置は、以上のように、前記記録媒体支持部を、スピンドルモータを支持する部材に備えられている案内部材によって、該スピンドルモータの軸線方向に変位自在に支持する。
【００７９】
それゆえ、ターンテーブルと支持部材とは、共にモータベース上に構成され、それぞれの同軸度は精度が良く、前述のようにターンテーブルとターンテーブル挿入用開口部との間の隙間から侵入する記録媒体支持部とターンテーブルとのクリアランスを小さく設定することができる。
【００８０】
また、本発明のディスク状記録媒体の記録／再生装置は、以上のように、前記変位手段を、前記カートリッジがホルダに保持され、記録媒体の回転中心とターンテーブルの回転中心とが一致した状態で前記記録媒体支持部の下降動作を開始して前記カートリッジと記録媒体との位置関係を概ね保持したまま下降し、前記記録媒体支持部の先端が前記ターンテーブルの記録媒体支持面より下方位置にて停止するように構成する。
【００８１】
それゆえ、前述のようにホルダに機械的に連動した変位手段を具体的に実現することができる。
【００８２】
さらにまた、本発明のディスク状記録媒体の記録／再生装置は、以上のように、前記カートリッジのローディングが完了した後に、前記記録媒体支持部の下降動作を開始する。
【００８３】
それゆえ、シーケンスが簡単で設計が容易になる。
【図面の簡単な説明】
【図１】本発明の実施の一形態のディスク状記録媒体の記録／再生装置における光ディスク付近の平面図である。
【図２】図１の切断面線ＩＩ−ＩＩから見た断面図である。
【図３】図１で示す記録／再生装置におけるディスク支持部の平面図である。
【図４】図１で示す記録／再生装置におけるディスク支持部の正面図である。
【図５】図１で示す記録／再生装置におけるディスク支持部の側面図である。
【図６】昇降部材の平面図である。
【図７】昇降部材の正面図である。
【図８】本発明の実施の一形態のローディング時の動作を説明するための断面図である。
【図９】本発明の実施の一形態のローディング時の動作を説明するための断面図である。
【図１０】本発明の実施の一形態のローディング時の動作を説明するための断面図である。
【図１１】本発明の実施の一形態のローディング時の動作を説明するための断面図である。
【図１２】本発明の実施の他の形態のディスク状記録媒体の記録／再生装置における光ディスク付近の平面図である。
【図１３】図１２で示す記録／再生装置におけるディスク支持部の平面図である。
【図１４】図１２で示す記録／再生装置におけるディスク支持部の正面図である。
【図１５】図１２で示す記録／再生装置におけるディスク支持部の側面図である。
【図１６】本発明の実施の他の形態のディスク状記録媒体の記録／再生装置におけるローディング時の動作を説明するための断面図である。
【符号の説明】
１，４１　　記録／再生装置
２　　光ディスク（ディスク状記録媒体）
３　　カートリッジ
３ａ　　底板
４　　シャーシ
４ａ　　モータベース
５　　スピンドルモータ
６　　ターンテーブル
７　　光学ピックアップ
８　　ターンテーブル挿入用開口部
９　　対物レンズ
１０　　ピックアップ挿入用開口部
１１　　対物レンズ駆動装置
１２　　移動片
１３，１４　　案内片
２１，５１　　支持部材（支持部材、記録媒体支持部）
２２，５２　　ディスク支持部（支持部材、記録媒体支持部）
２３　　昇降部材（支持部材、変位手段）
２４，５４　　筒部（支持部材、記録媒体支持部）
２５，５５　　フランジ部（支持部材）
２６，５６　　垂下部（支持部材）
２７　　案内軸
２８　　案内孔
３１　　切欠き
３２　　板状部
３３　　立上がり部
３５　　長孔
３６　　案内溝
【図１】
2004005803.tif 000003
【図２】
2004005803.tif 000004
【図３】
2004005803.tif 000005
【図４】
2004005803.tif 000006
【図５】
2004005803.tif 000007
【図６】
2004005803.tif 000008
【図７】
2004005803.tif 000009
【図８】
2004005803.tif 000010
【図９】
2004005803.tif 000011
【図１０】
2004005803.tif 000012
【図１１】
2004005803.tif 000013
【図１２】
2004005803.tif 000014
【図１３】
2004005803.tif 000015
【図１４】
2004005803.tif 000016
【図１５】
2004005803.tif 000017
【図１６】
2004005803.tif 000018